(57)【特許請求の範囲】
【請求項１】
超音波振動子を内蔵したハンドピースと、
前記超音波振動子からの超音波振動が伝達され、先端部に吸引口が形成されたホーンと、
を含み、
前記ハンドピース内には、前記ホーンの吸引口に連通する吸引路と、その吸引路から分岐した分岐路と、が形成され、
前記ハンドピースの外周囲面には案内溝が形成され、
前記案内溝には前記分岐路に連通する圧力調整孔を備えた可動部材が設けられ、
前記案内溝の溝面との間における前記可動部材の内部空間を介して前記分岐路に前記圧力調整孔が連通することを特徴とする超音波手術器。
【請求項２】
請求項１記載の超音波手術器において、
前記可動部材は前記案内溝内においてハンドピース軸方向にスライド運動可能であり且つハンドピース軸を回転軸として回転運動可能であることを特徴とする超音波手術器。
【請求項３】
請求項２記載の超音波手術器において、
前記案内溝は筒状であり、
前記可動部材は筒状であることを特徴とする超音波手術器。
【請求項４】
請求項３記載の超音波手術器において、
前記スライド部材は前記案内溝の溝面へ向かって突出したリング状の２つのフランジを有することを特徴とする超音波手術器。
【請求項５】
請求項１記載の超音波手術器において、
前記ホーンの内部又は前記超音波振動子の内部に、前記吸引路からの前記分岐路の引出部が設けられたことを特徴とする超音波手術器。
【請求項６】
請求項５記載の超音波手術器において、
前記引出部はＴ字型をなし、
前記分岐路はハンドピース軸に対して直交する方向に形成されたことを特徴とする超音波手術器。
【請求項７】
請求項１記載の超音波手術器において、
前記圧力調整孔を有する可動部材が着脱自在であることを特徴とする超音波手術器。
【請求項８】
請求項１記載の超音波手術器において、
前記圧力調整孔を閉塞する閉塞部を含み、
前記可動部材が所定位置にある場合に前記閉塞部が前記圧力調整孔を閉塞することを特徴とする超音波手術器。
【請求項９】
請求項１記載の超音波手術器において、
前記閉塞部は前記案内溝の溝面から突出した突起であることを特徴とする超音波手術器。
【請求項１０】
超音波振動子を内蔵し、吸引路とその吸引路から分岐した分岐路とが形成されたハンドピースと、
前記超音波振動子からの超音波振動が伝達され、先端部に前記吸引路に連通する吸引口が形成されたホーンと、
前記ハンドピースに位置調整可能に設けられ、前記分岐路に連通する圧力調整孔が形成された可動部材と、
を含み、
前記ハンドピースの外周囲面には前記可動部材をスライド可能且つ回転可能に案内する案内溝が形成されたことを特徴とする超音波手術器。
【発明の詳細な説明】
【０００１】
【発明の属する技術分野】
本発明は超音波手術器に関し、特に吸引圧力の調整手段が設けられた超音波手術器に関する。
【０００２】
【従来の技術】
超音波手術器は、超音波振動するホーンの先端を生体組織に接触させて、生体組織の破砕、切開、止血などを行うものである。最近では、超音波手術及び電気手術の２つの機能をもった手術器も実用化されている。
【０００３】
超音波手術を行う場合、生理食塩水などの洗浄液が患部に注がれ、その洗浄液によって患部が洗い流され、また患部が冷却される。洗浄液（破砕組織を含む）はホーン先端の吸引口から吸引され、ハンドピース内部（または外部）の吸引路を通って、吸引装置に送り込まれる。ここで、吸引装置は吸引ポンプなどを有する。
【０００４】
たとえば、実開昭６１−２０３０１０号公報、実開昭６３−１３５６１５号公報、特開平３−１１４４５６号公報には、超音波手術器における吸引圧力調整機構が開示されている。
【０００５】
【発明が解決しようとする課題】
従来の超音波手術器においては、ハンドピースの後側から伸びる吸引チューブの途中に分岐具を取り付け、その分岐具に分岐チューブの一端を接続し、その他端が吸引圧力調整孔を有する部材に接続されていた。ちなみに、その部材はハンドピースに固定設置又は可動設置されるものである。
【０００６】
よって、上記従来の構成では、ハンドピースの外面に分岐チューブが沿わされ、また圧力調整用の部材がハンドピース表面から大きく突出した状態となる。更に、圧力調整用の部材をハンドピースに対して着脱可能にすると、ハンドピース上に着脱機構が形成されることから、そのような構造は操作性低下の要因となっていた。このように従来においては、ハンドピースを把持する際に、分岐チューブや圧力調整用の部材が邪魔になり、操作性が低下するという問題があった。更に、構造が複雑になるなどの問題もあった。
【０００７】
本発明は、上記従来の課題に鑑みなされたものであり、その目的は、超音波手術器の操作性を向上することにある。
【０００８】
【課題を解決するための手段】
（１）上記目的を達成するために、本発明は、超音波振動子を内蔵したハンドピースと、前記超音波振動子からの超音波振動が伝達され、先端部に吸引口が形成されたホーンと、を含み、前記ハンドピース内には、前記ホーンの吸引口に連通する吸引路と、その吸引路から分岐した分岐路と、が形成され、前記ハンドピースの外周囲面には案内溝が形成され、前記案内溝には前記分岐路に連通する圧力調整孔を備えた可動部材が設けられ、前記案内溝の溝面との間における前記可動部材の内部空間を介して前記分岐路に前記圧力調整孔が連通することを特徴とする。
【０００９】
上記構成によれば、圧力調整孔の実開口量を調整して吸引圧力を調整可能である。ハンドピース内部に吸引路から分岐路への分岐点が形成されているので、ハンドピースの周囲の構造を従来の超音波手術器よりもシンプルにできる。また圧力調整孔が形成された可動部材は案内溝内を運動可能である。よって、操作性を向上可能である。
【００１０】
望ましくは、前記可動部材は前記案内溝内においてハンドピース軸方向にスライド運動可能であり且つハンドピース軸を回転軸として回転運動可能である。望ましくは、前記案内溝は筒状であり、前記可動部材は筒状である。望ましくは、前記スライド部材は前記案内溝の溝面へ向かって突出したリング状の２つのフランジを有する。
【００１１】
例えば、ペンを持つ場合のように、ハンドピースの胴部が親指及び人差指で把持される場合には、その把持部位よりも前側に、具体的には、人差指の指の腹が到達する位置に、圧力調整孔を形成するのが望ましい。
【００１２】
望ましくは、前記ホーンの内部又は前記超音波振動子の内部に、前記吸引路からの前記分岐路の引出部が設けられる。ここで望ましくは、前記引出部はＴ字型をなし、前記分岐路はハンドピース軸に対して直交する方向に形成される。
【００１３】
上記可動部材によれば、手の大きさや好みに合わせて圧力調整孔の位置を調整可能であり、操作性をより向上可能である。また、望ましくは、圧力調整孔を有する可動部材が着脱自在である。
【００１４】
望ましくは、前記圧力調整孔を閉塞する閉塞部を含み、前記可動部材が所定位置にある場合に前記閉塞部が前記圧力調整孔を閉塞する。この構成によれば、圧力調整を行わない場合に閉塞部を利用して圧力調整孔を閉じておけばよい。望ましくは、前記閉塞部は前記案内溝の溝面から突出した突起である。
【００１５】
（２）また、上記目的を達成するために、本発明は、超音波振動子を内蔵し、吸引路とその吸引路から分岐した分岐路とが形成されたハンドピースと、前記超音波振動子からの超音波振動が伝達され、先端部に前記吸引路に連通する吸引口が形成されたホーンと、前記ハンドピースに位置調整可能に設けられ、前記分岐路に連通する圧力調整孔が形成された可動部材と、を含み、前記ハンドピースの外周囲面には前記可動部材をスライド可能且つ回転可能に案内する案内溝が形成されたことを特徴とする。
【００１６】
上記構成によれば、吸引路からの分岐箇所がハンドピース内部に形成されているので、ハンドピースの外観をシンプルにできる（例えば、従来の超音波手術器で見られた上記の分岐具や分岐チューブは不要である）。また、可動部材の位置調整によって、圧力調整孔の位置を可変設定できる。よって、操作者の手の大きさや好みに合わせた位置に圧力調整孔を位置決めできるので、使い勝手がよい。
【００１７】
望ましくは、前記可動部材は前記ハンドピースの中心軸に沿ってスライド可能に設けられる。望ましくは、前記可動部材は前記ハンドピースの中心軸を回転軸として回転可能に設けられる。望ましくは、前記可動部材が所定位置にある状態で前記圧力調整孔を閉塞する閉塞部を有する。
【００１８】
望ましくは、前記ハンドピースの外周囲面には、前記可動部材をスライド可能及び回転可能に案内する案内機構が形成される。スライド及び回転の両者を行えれば、圧力調整孔を常に最適な位置に調整可能である。
【００２０】
【発明の実施の形態】
以下、本発明の好適な実施形態を図面に基づいて説明する。
【００２１】
図１には、超音波手術器のハンドピースが参考例として示されている。超音波手術器は、図１に示されるハンドピース８と手術器本体とで構成される。ハンドピース８は手術器本体にチューブ及び信号ケーブルによって接続される。
【００２２】
図１において、ハンドピース８は操作者によって把持されるものである。円筒形状のケース１０内には振動子アセンブリ１２が設けられている。この振動子アセンブリ１２は超音波振動を発生するものであり、この振動子アセンブリ１２としてはボルト締め型超音波振動子を用いることができる。その振動子アセンブリ１２の前端にはホーン１４が連結されている。振動子アセンブリ１２にて発生した超音波振動がホーン１４に伝達され、そのホーン１４によって超音波振動が増幅され、ホーン１４の先端によって組織の破砕や切開などの超音波手術が行われる。
【００２３】
本体ケース１０の前端にはホーンカバー１６が連結されている。ホーンカバー１６はホーン１４の周囲を包囲するものであり、ホーン１４の先端部のみを露出させる部材として機能する。振動子アセンブリ１２及びホーン１４は本体ケース１０及びホーンカバー１６内に複数のＯリング１８，２０，２２によって保持されている。ちなみに、このようなＯリングは振動の節の位置に設けるのが望ましい。
【００２４】
振動子アセンブリ１２内にはハンドピース軸方向に沿って吸引路１２Ａが形成されている。また、ホーン１４の内部にも吸引路１４Ａが形成されている。それらの吸引路１２Ａ，１４Ａは相互に連結され、ハンドピース８の先端から後端までを貫通する流路として機能している。ホーン１４の先端開口で吸引された洗浄液や破砕組織は、そのような流路を通って、図示されていない吸引ポンプによって吸引される。ちなみに、吸引ポンプは手術器本体内に設けられ、その吸引ポンプはハンドピース８に対して吸引チューブによって接続される。ここで、その吸引チューブの一端はハンドピース８の後端に形成されたノズル２４に装着される。
【００２５】
なお、洗浄液はハンドピース８に沿って取り付けられる図示されていない洗浄液チューブを介してホーン１４の先端部に供給される。この場合、ホーン１４とホーンカバー１６との間の隙間を利用して洗浄液を患部に供給するようにしてもよい。その際にはホーンカバー１６に前記の隙間と連通する貫通孔を形成し、その貫通孔に洗浄液チューブを接続するようにすればよい。
【００２６】
図１に示す例において、ハンドピース８の内部、具体的にはホーン１４の内部には吸引路１４Ａから分岐した分岐路１４Ｂが形成されている。その分岐部分は図示されるようにＴ字型をなしている。分岐路１４Ｂはハンドピース軸方向と直交する方向に沿って伸びており、その他方端はリーク穴１００に連通している。ここで、リーク穴１００は圧力調整孔として機能するものであり、そのリーク穴１００はホーンカバー１６の表面上に形成されている。
【００２７】
このリーク穴１００について詳述する。リーク穴１００は、ケース１０を把持した場合において、例えば人差指の指の腹の位置が到達する範囲内に形成される。その指の腹によってリーク穴１００の実開口量を調整することによって吸引圧力の調整を行うことが可能である。すなわち、リーク穴１００を完全な開放状態にすれば、ホーン１４の先端開口における吸引圧力が最低となり、事実上吸引作用が停止される。一方、リーク穴１００を完全に閉塞させれば、ホーン１４の先端開口における吸引圧力を最大にすることが可能となる。そして、リーク穴１００上における指の腹の位置を微妙にずらすことによって、中間的な吸引圧力の設定を自在に行うことが可能である。
【００２８】
図１に示す例において、リーク穴１００はホーンカバー１６における基端側のテーパー部に形成されているが、操作可能である限りにおいて、リーク穴１００の位置は自在に設定することができる。但し、望ましくは本体ケース１０の把持を前提として、その把持状態において指が届く範囲に設けるのが望ましい。したがって、一般的には本体ケース１０の前側にリーク穴１００が形成される。
【００２９】
図１に示す例においては、リーク穴１００が固定的に設けられているが、後に図５を用いて説明するようにリーク穴が可変設定できるようにしてもよい。
【００３０】
図１に示した例においては、吸引路１４Ａからの分岐路１４Ｂの分岐部分がハンドピース８内に設定されているため、従来のハンドピースのように、ハンドピース８の後端側に特殊の分岐部材や分岐用チューブなどを設ける必要がなくなり、その結果、ハンドピース８の全体形状を小型化かつ簡易化することが可能となる。また、特に吸引のためのチューブをケース１０の外表面上に沿わせる必要がなくなるので、操作性を向上することができるという利点がある。もちろん、洗浄液チューブがケース１０の外側に沿って設けられるような場合、ケース１０の外側形状を完全に円筒形にすることは難しいが、その場合においても、チューブの本数を削減することによって、従来よりも操作性を向上可能である。ちなみに、洗浄液チューブをハンドピース８内に収納させることも可能である。
【００３１】
図１に示す例では、分岐箇所がリーク穴１００の直下に設定されており、すなわちリーク穴１００と分岐部分とが最短距離で連結されている。この結果、圧力調整の応答性を高めることができる。但し、ハンドピース８の構造如何によってはそのような分岐部分を別の箇所に設定し、その分岐部分と所望の位置に設けられたリーク穴１００とを連結させるようにしてもよい。この場合、例えば振動子アセンブリ１２内に分岐点を設けることも可能であり、さらにハンドピース８の内部であって振動子アセンブリ１２の後端側（図において左側）にそのような分岐点を形成することもできる。いずれにしても、そのような分岐点をハンドピース８内部に設定することにより、上述した各種の利点を享受可能である。
【００３２】
図１に示した例において、Ｏリング２０，２２は、ホーン１４の保持作用と共にシール作用を発揮している。すなわち、そのようなＯリング２０，２２によってリーク穴１００から分岐路１４Ｂに至る空間における気密性が保持されている。
【００３３】
ちなみに、図１における構成では、振動子アセンブリ１２としていわゆるランジュバン型の振動子が用いられていたが、他のタイプの超音波振動子を設けてもよい。また、図１に示した実施形態においては、ホーン１４が直線的に伸びる形状を有していたが、ホーン１４が屈曲形状を有する場合においても本発明を適用可能である。また、ホーンカバー１６を着脱可能にし、吸引圧力の調整が不要の場合には、リーク穴１００が空いていないホーンカバーを装着するようにしてもよい。
【００３４】
図２〜図４には、上述したリーク穴の各種の具体例が示されている。図２に示す例では、ホーンカバー１６のテーパー部にリーク穴１００Ａが形成され、そのリーク穴１００の周囲は凹面型をなしている。これにより指とリーク穴１００との間における密着性を良好にすることが可能である。図３に示す例では、ホーンカバー１６における筒状部にリーク穴１００Ｂが形成されている。この例においてもリーク穴１００Ｂの周囲は凹面型に形成されている。図４に示す例では、リーク穴１００Ｃが単純な円形開口として形成されている。ちなみに、図２及び図３に示す例ではリーク穴１００がハンドピース軸方向に沿って伸長した長穴形状に形成されている。かかる形状によれば、圧力調整に当たって指をハンドピース軸方向に前後させる場合に微妙な圧力調整をより容易に行うことが可能となる。
【００３５】
次に図５を用いて本発明に係る実施形態について説明する。図５に示す実施形態においては、ハンドピースにおけるリーク穴１０６はハンドピース軸方向に沿ってスライド可能であり、かつ、ハンドピース軸を回転軸として回転可能である。以下この実施形態について詳述する。
【００３６】
ケース３０は例えば金属などの部材で形成されており、このケース３０は第１部分４４及び第２部分４６で構成される。第１部分４４は厚肉部であり、第２部分４６は薄肉部である。両部分４４，４６とも円筒形状を有している。
【００３７】
ケース３０内には振動子アセンブリ３２が収容されている。この振動子アセンブリ３２はボルト締め型の超音波振動子であり、従来同様に複数の電歪素子４０と、それらの積層体を挟み込む２つのブロック４２，４４と、２つのブロック間を連結するボルト（図示せず）と、で構成される。なお、この振動子アセンブリ３２は、前記以外に複数の電極板や絶縁部材などを有しているが、図示省略されている。振動子センブリ３２の後端側にはノズル３２Ｂが従来同様に形成されている。また、振動子アセンブリ３２の軸中心には流路３２Ａが形成されている。振動子アセンブリ３２の前端側にはホーン３４が連結されている。振動子アセンブリ３２にて発生した超音波振動はこのホーン３４に伝達され、ホーン３４の先端部３４Ｃによって組織の破砕などの超音波手術が実行される。ホーン３４はその基端側から先端側にかけて徐々にその断面積が小さくなる形状を有している。ホーン３４の内部には流路３４Ａが形成されており、またその流路３４Ａには分岐路３４Ｂが連結されている。分岐部分は図５に示されるようにＴ字型をなしている。
【００３８】
ホーン３４はホーンカバー３６によって包囲されている。このホーンカバー３６は具体的には、カバー部５０と、基端部５２と、連結部５４と、で構成されている。それらの各部分は一体成形されている。連結部５４は上記のケース３０における第２部分の外側に連結されている。カバー部５０はホーン３４の先端部を露出させているが、そのカバー部５０がホーン軸方向に沿って進退可能となるように構成することもできる。
【００３９】
ホーンカバー３６には、図５に示されるように、分岐路３４Ｂに連通する連通路５２Ｂ（これも吸引路から見て分岐路に相当）が形成されている。この連通路５２Ｂはハンドピースの径方向に沿って垂直に形成されており、その他端は以下に詳述する可動部材としてのスライド部材３８の内部の空間１０４にのぞんでいる。
【００４０】
ハンドピースの外周面には、具体的には基端部５２及び連結部５４に跨って案内溝１０２が形成されている。この案内溝１０２はリング状（つまり筒状）の形状を有し、その案内溝１０２内には図示されるように可動部材としての筒状のスライド部材３８が設けられている。
【００４１】
ここで、スライド部材３８は、案内溝１０２の両端に形成された凸部５８，６０の間においてハンドピース軸方向に運動可能で、かつ、その案内溝１０２内において、ハンドピース軸を回転軸として回転運動可能である。
【００４２】
スライド部材３８は、図５に示されるように、案内溝１０２の溝面に向かって突出したリング状の２つのフランジを有しており、その２つのフランジがＯリング８０，８１を介して溝面に接触している。このようなＯリング８０，８１によって適度な摺動抵抗が形成されると共に、それらによってスライド部材３８の内部における空間１０４の気密性が保持される。以下に説明する圧力調整孔であるリーク穴１０６は空間１０４を介して連通路５２Ｂつまり分岐路に連通している。
【００４３】
スライド部材３８はリーク穴１０６を有する。このリーク穴１０６は圧力調整孔として機能するものであり、上述したように、そのリーク穴１０６における実開口量の調整によってホーン３４の先端開口における吸引圧力を自在に調整可能である。
【００４４】
スライド部材３８の位置を適宜調整すれば、その結果、リーク穴１０６を所望の位置に位置決めすることが可能である。すなわち、操作者の手の大きさや好みに合わせて所望の位置にリーク穴１０６がセットされるように、スライド部材３８のスライド位置及び回転位置が調整される。ホーンカバー３６には、突起５６が形成されている。具体的には、その突起５６は案内溝１０２上の所定位置に形成され、その突起５６は上記の空間１０４にのぞんでいる。突起５６の上方にリーク穴１０６と重合させれば、その突起５６の作用によってリーク穴１０６を閉塞させることができる。これにより、圧力調整を行わない場合に、リーク穴１０６を継続的に指で押さえなければならない煩雑さが解消される。突起５６の高さは空間１０４の高さにほぼ一致しており、突起５６の上面がリーク穴１０６の下面に完全に密着するように当該突起５６が形成されている。もちろん、そのような突起５６を弾性部材によって形成することもでき、その場合にはその密着性をより高めることが可能となる。
【００４５】
図６には、スライド部材３８の斜視図が示されている。上述したように、そのスライド部材３８は、案内溝１０２内においてスライド可能かつ回転可能である。ここで、ハンドピースにスライド位置及び回転位置の指標となるマーク１０８などを設けてもよい。このようなマーク１０８によれば、突起５６の位置を容易に把握可能であり、また或いはホーンカバー３６に形成された連通路５２Ｂの位置を容易に認識可能である。なお、スライド部材３８を着脱自在に構成してもよい。
【００４６】
図７及び図８には、図５に示すＡ−Ａ断面が示されている。ここで、図７はリーク穴１０６を利用して圧力調整を行う場合におけるスライド部材３８の通常の回転位置を示しており、図８はリーク穴１０６を突起部５６を利用して閉塞する場合におけるスライド部材３８の回転位置が示されている。
【００４７】
図７に示されるように、通常の使用状態においては、分岐路３４Ｂ及び連通路５２Ｂの上方にリーク穴１０６が位置するようにスライド部材３８の回転位置を設定するのが望ましい。もちろん、少なくとも突起部５６によってリーク穴１０６が閉塞されない回転位置にあれば、空間１０４を介してリーク穴１０６と連通路５２Ｂとが連通されるため、そのような特定の回転位置以外にスライド部材３８の回転位置があっても圧力調整を行うことが可能である。その一方、図８に示すように、突起部５６によってリーク穴１０６が完全に閉塞された状態では、リーク穴１０６の機能は完全に停止され、換言すれば、従来同様のハンドピースとして使用可能である。ちなみに、突起部５６は図５に示したものには限られず、他の位置に形成することも可能である。リーク穴１０６の可変設定は図５に示した機構には限られず各種の機構を採用可能である。さらに、リーク穴の閉塞機構についても同様である。
【００４８】
図５に示されるように、ケース３０内において振動子アセンブリ３２はＯリング８２，８３によって保持されている。また、ホーンカバー３６内においてホーン３４はＯリング８４，８５によって保持されている。ここで、それらのＯリング８２〜８５は、振動子アセンブリ３２あるいはホーン３４を弾性的に保持する機能と、シール機能を有している。
【００４９】
図５に示すハンドピースを実際に使用する場合においては、ノズル３２Ｂにチューブの一端が接続され、そのチューブの他端が図示されていない吸引ポンプに連結される。また、ハンドピースの外周面に沿って洗浄液チューブが沿わされ、その先端開口がホーン３４の先端部まで導かれる。そのような状態において、手術部位に洗浄液が供給されると、その洗浄液及び破砕組織がホーン３４の先端開口から吸引され、吸引路３４Ａ及び３２Ａを介してさらにチューブを介して吸引ポンプによって吸引される。その場合において、リーク穴１０６の実開口量を調整すれば、吸引圧力をハンドピース上において簡単に調整することが可能である。このような吸引圧力の調整を実現するに当たって、従来のハンドピースのようにハンドピースの後端側に特殊な継ぎ手やそこから伸びる分岐チューブなどを設ける必要がないので、ハンドピースの全体形状を従来よりもシンプルできるとともにその操作性を極めて向上可能である。
【００５０】
さらに図５に示した実施形態においては、リーク穴１０６を所望の位置に位置決めすることができるので、操作者の好みや手の大きさに合わせて当該リーク穴の位置を適宜設定できる。
【００５１】
図５に示した実施形態において、スライド部材３８の位置は２つのＯリング８０，８１の摺動抵抗によって保持されていたが、例えばスライド部材３８の位置をロックするロック機構などを設けてもよい。また、各種のリーク穴１０６を備えた複数のスライド部材３８を用意し、そのいずれかのスライド部材３８を案内溝１０２に装着できるように、構成してもよい。スライド部材３８を交換自在にするものである。また、図５に示す実施形態では、ホーンカバー３６とスライド部材３８とが別部材として構成されていたが、ホーンカバー３６自体にリーク穴を形成すると共に、当該ホーンカバー３６がスライド及び回転可能であってもよい。また、図５に示す実施形態では、ハンドピース全体が筒状の形態を有していたが例えばそのハンドピースの胴部に親指と人差し指との間のアーチ部分にフィッティングする把持補助具などを設けてもよい。本発明は各種の変形可能であり、分岐部分がハンドピース内に存在する限りにおいていずれの変形例も本発明の範囲に含まれる。
【００５２】
【発明の効果】
以上説明したように本発明によれば、超音波手術器の操作性を向上することができる。また、本発明によれば、ハンドピースの形状を小型化かつ簡略化することが可能となる。
【図面の簡単な説明】
【図１】超音波手術器の参考例を示す断面図である。
【図２】リーク穴の形態を示す図である。
【図３】リーク穴の形態を示す図である。
【図４】リーク穴の形態を示す図である。
【図５】本発明の実施形態に係る超音波手術器を示す断面図である。
【図６】図５に示す実施形態の斜視図である。
【図７】通常の使用状態におけるスライド部材の回転位置を示す図である。
【図８】リーク穴閉塞状態におけるスライド部材の回転位置を示す図である。
【符号の説明】
８  ハンドピース、１０  ケース、１２  振動子アセンブリ、１４  ホーン、１６  ホーンカバー、１００  リーク穴。
【図１】
0003609290.tif 000002
【図２】
0003609290.tif 000003
【図３】
0003609290.tif 000004
【図４】
0003609290.tif 000005
【図５】
0003609290.tif 000006
【図６】
0003609290.tif 000007
【図７】
0003609290.tif 000008
【図８】
0003609290.tif 000009